(57)【要約】    【課題】背中との密着性がよいリュックサック１０の提供。    【解決手段】このリュックサック１０は、荷室１２とショルダーストラップ１４と空気袋１６とを備えている。このリュックサック１０は、そのバック面１８にこの空気袋１６が挿入されうる収納室２０をさらに備えている。空気袋１６は、収納室２０に対して容易に出し入れされる。この空気袋１６は、背骨の長さ方向に３つに分割されている。その結果、空気袋１６には３つの空気室２２が形成されている。この３つの空気室２２は独立しており、空気は相互に流通しない。このリュックサック１０は、人の動作に応じて背中面の形状が変化しても、リュックサック１０の接触面と背中面とは絶えず密着する。背負われたリュックサック１０の安定性は良く、さらにその荷重が背中面全体に分散され、疲れにくい。【選択図】図１
2006109965.tif 000002
【特許請求の範囲】
【請求項１】
バック面に空気袋を備えているリュックサック。
【請求項２】
上記空気袋が、内包する空気室内の空気量を調節しうる装置を備えている請求項１に記載のリュックサック。
【請求項３】
上記空気袋が、２つ以上の空気室からなる請求項１又は２に記載のリュックサック。
【請求項４】
上記空気袋を収納するための収納室を備えている請求項１から３のいずれかに記載のリュックサック。
【請求項５】
上記空気袋を固定するための固定手段を備えている請求項１から３のいずれかに記載のリュックサック。
【請求項６】
リュックサックのバック面に固定されるための固定手段を備えている空気袋。
【発明の詳細な説明】
【技術分野】
【０００１】
本発明は、背中との密着性がよいリュックサックに関する。
【背景技術】
【０００２】
リュックサックの重要な要素として、リュックサックが背負われたとき、人の背中面に接するリュックサックの接触面と背中面との密着性が挙げられる。なお、背中面とは、人の背中と腰とが含まれる領域を表している。この接触面と背中面との密着性が悪ければ、背負われているリュックサックの位置安定性は悪くなる。位置安定性が悪ければ、歩行時にリュックサックは上下に揺れる。この上下への揺れにより、リュックサックの重心が動くので、歩行時の姿勢制御は難しくなる。
【０００３】
接触面と背中面との密着性が悪ければ、背負われているリュックサックの荷重はリュックサックと接している体の一部に集中する。例えば、リュックサックが背中面と腰付近のみで接している場合、荷重はショルダーストラップの掛かっている肩とリュックサックの接している腰とに集中する。過度の負担が、肩と腰とにかかる。さらにリュックサックと背中とが離れている場合、リュックサックの重心は体から離れ、位置安定性が悪くなる。これに加えて、体は後方に引っ張られる。体を前屈みにしなければ、姿勢の維持が難しい。
【０００４】
体に対する無理な姿勢及び過度の負担は、疲労を促し、けがを誘発する。リュックサックが背中に背負われるとき、リュックサックは背中面に密着し、その荷重が背中全体に均一に分散していることが望ましい。
【０００５】
背中面との密着性又は背負い心地が重視されたリュックサックが知られている。背中面の形状に合わせて、リュックサックの接触面の形状が任意に調整されうるリュックサックが、特開平８−３３６４２１公報に開示されている。このリュックサックには、接触面の形状調整のために金属製のフレームが用いられている。図６は、このフレーム２が備えられたリュックサック４が、立った状態で背負われている状況が示された側面図である。このフレーム２の調整は、この立った状態で実施されている。接触面６の形状と背中面８の形状とが一致しているので、接触面６と背中面８との密着性は良好である。
【０００６】
荷重が良好に分散されうるリュックサックが、特開平１０−１１７８４５に開示されている。このリュックサックは、金属製の弓形フレームを備えている。この弓形フレームの形状が三次元的な湾曲形状に形成され、使用者の背中面の形状に合わせられている。弓形フレームは、その中央横袈部分がリュックサックの上部に位置し、その両端から下端に向かってパイプバーが延びる構成で、バック面に配置されている。リュックサックの荷重はこの弓形フレームを介して幅広く分散されるので、背負い心地は良好である。
【特許文献１】特開平８−３３６４２１公報
【特許文献２】特開平１０−１１７８４５公報
【発明の開示】
【発明が解決しようとする課題】
【０００７】
まっすぐに立った状態から腕が前に出されたり、後ろに引かれたりするだけでも、背中面の形状は変わる。例えば、人が急な山道を登ったり、下りたり、岩場などの障害物を乗り越えたり、又はスキーをしたりするとき、手や足はいろいろな動作をとる。動作に合わせて、背中面の形状は変化する。図７は、フレーム２が備えられた従来のリュックサック４が、立った状態から前屈みの状態に変化したときの背負われている状況が示された側面図である。このリュックサック４は図６で示したリュックサック４と同一である。前述したように、このリュックサック４は、背中面８との接触面６の形状を調整するための金属製のフレーム２が用いられている。人の姿勢が立った状態から前屈みに変化したことに伴い、背中面８の形状は変わる。一方、フレーム２の形状は調整時の形状で維持されているので、接触面６の形状は変わらない。接触面６と背中面８との間に隙間ができ、密着性は悪化する。接触面６の形状は、動作に伴う背中面８の形状変化に追従できない。さらに背負われているリュックサック４の荷重が、リュックサック４と接している体の一部に集中する。リュックサック４と接している箇所に、過度の負担がかかる。過度の体への負担は、疲労を促し、けがを誘発する。
【０００８】
前述した弓形フレームがバック面に配置されているリュックサックの場合も、フレームが金属製であるので、その形状は容易に変わらない。このフレームが用いられたリュックサックも、動作に伴う背中面の形状変化に追従して、その接触面の形状を変えることはできない。
【０００９】
本発明の目的は、人の動作に応じて背中面の形状が変化しても、接触面と背中面とが絶えず密着し、安定性が良く、荷重が分散されるリュックサックの提供にある。
【課題を解決するための手段】
【００１０】
本発明に係るリュックサックは、そのバック面に空気袋を備えている。
【００１１】
好ましくは、この空気袋は、内包する空気室内の空気量を調節する装置を備えている。
【００１２】
好ましくは、この空気袋は、２以上の空気室から構成されている。
【００１３】
好ましくは、このリュックサックは、空気袋を収納するための収納室を備えている。
【００１４】
好ましくは、このリュックサックは、空気袋を固定するための固定手段を備えている。
【００１５】
好ましくは、空気袋が、リュックサックのバック面に固定されるための固定手段を備えている。
【発明の効果】
【００１６】
このリュックサックが用いられることにより、人の動作に応じて背中面の形状が変化しても、リュックサックの接触面と背中面とは絶えず密着する。背負われたリュックサックの安定性は良い。さらにその荷重は、背中面全体に分散される。リュックサックの荷重が体の一部に集中しないので、体への過度の負担がなく、体は疲れにくい。
【発明を実施するための最良の形態】
【００１７】
以下、適宜図面が参照されつつ、好ましい実施形態に基づいて本発明が詳細に説明される。
【００１８】
図１（ａ）は本発明の一実施形態に係るリュックサック１０が示された正面図であり、図１（ｂ）はその側面図である。このリュックサック１０は、荷室１２とショルダーストラップ１４と空気袋１６とを備えている。このリュックサック１０は、そのバック面１８にこの空気袋１６が挿入されうる収納室２０をさらに備えている。空気袋１６は、収納室２０に対して容易に出し入れされる。この空気袋１６は、背骨の長さ方向に３つに分割されている。その結果、空気袋１６には３つの空気室２２が形成されている。この３つの空気室２２は独立しており、空気は相互に流通しない。空気袋１６は、リュックサック１０のバック面１８全体を覆うよう構成されている。なお、簡潔に説明するために図示していないが、本発明のリュックサック１０は、ウエストストラップ、サイドポケット、リアポケット等を備えており、リュックサック１０としての十分な機能を有している。
【００１９】
図２は、図１のリュックサック１０が立った状態で背負われている状況が示された側面図である。空気袋１６は、収納室２０の壁を介して背中面２４と接している。空気袋１６に内包されている３つの空気室２２内に、空気が充填されている。空気袋１６は、柔軟に形状を変えることができる。リュックサック１０の背中面２４との接触面２６の形状は、接している人の背中面２４の形状に合わせて変化できる。リュックサック１０の接触面２６は、背中面２４と密着する。接触面２６と背中面２４の密着性がよいので、安定性が良く、背中面２４の受けるリュックサック１０の荷重は分散される。
【００２０】
図３は、図１のリュックサック１０が立った状態から前屈みの状態に変化したときの背負われている状況が示された側面図である。姿勢変化に伴い、背中面２４の形状は変わる。空気室２２は柔軟性があるため、背中面２４の形状変化に応じて、接触面２６の形状は変化できる。動作中もリュックサック１０の接触面２６と背中面２４とは、絶えず密着できる。リュックサック１０の背中面２４における位置は安定し、背中面２４の受けるリュックサック１０の荷重は分散される。リュックサック１０の荷重が体の一部に集中しないので、体への過度の負担がなく、疲労は小さい。
【００２１】
空気袋１６の材質は、使用に際し支障を来すような空気漏れがなければ、いかなる材質を用いてもよい。浮き輪等に用いられる塩化ビニルのような樹脂材料やタイヤのチューブ等に用いられるゴム材料が好ましい。背中面２４の形状変化に追従してその形状が変化されうるという観点から、ゴム材料が好ましい。空気袋１６に簡単に穴が空いたり、破れたりしてその機能が損なわれないように、空気袋１６に保護カバーが備えられてもよい。保護カバーとして、空気袋１６の形状変化に追従するために伸縮性のある布地を巻いてもよい。
【００２２】
前述したように、リュックサック１０が背負われたとき、人の背中面２４に接する接触面２６と背中面２４との密着性はリュックサック１０の重要な要素である。空気袋１６はリュックサック１０のバック面１８全体を覆ってもよく、バック面１８の一部を覆ってもよい。密着性の観点から、バック面１８のうち背中及び腰に対応する背中面２４の領域全てが、空気袋１６で覆われることが好ましい。
【００２３】
背中面２４の形状変化への追従性の観点から、この空気袋１６は分割されるのが好ましい。空気袋１６の分割によって形成される空気室２２の数が多いと、動作に伴う背中面２４の形状変化に対するリュックサック１０の接触面２６の形状追従性はより綿密になる。その一方で、空気室２２内に充填される空気量の管理が煩雑になる。背中面２４の形状は肩幅方向よりも背骨の長さ方向に大きく変化するので、空気袋１６は背骨の長さ方向に分割されるのが好ましい。空気袋１６が分割されて形成される空気室２２の数は、２室以上あるのが好ましい。背中面２４の形状変化に対する追従性の観点から、この数は３室以上あるのが好ましい。さらにこの空気室２２の数は１０室以下であることが好ましい。空気量管理作業の煩雑さの観点から、背骨の長さ方向に配列する空気室２２の数は５室以下であるのが好ましい。
【００２４】
収納室２０に変えて固定手段が設けられ、この固定手段によって、空気袋１６が固定されてもよい。固定手段として、例えば、面ファスナー、スナップ及びバックルがあげられる。
【００２５】
図４は、本発明の他の実施形態に係るリュックサックの空気袋２８が示された斜視図である。この空気袋２８は、空気室３２内の空気量を調整する装置として手動血圧計などに用いられるゴムポンプ３０を備えている。ゴムポンプ３０は、空気室３２とチューブ３４で連結されている。この空気袋２８が備えられたリュックサックであれば、これを背負ったまま、手動で空気室３２内の空気量の調整ができる。例えば、標高の高い山に登ると、気圧の変化により、袋内の空気は低地より膨張する。逆に高地から低地へ移動すると、袋内の空気は収縮する。気圧の変化は、空気の体積変化に寄与する。空気の体積変化は、空気室３２の形状変化に作用する。そのため、リュックサックの接触面と背中面との密着性は、気圧の変動に応じて変化する。このようなとき、上記のリュックサックであれば、備えられているゴムポンプ３０で、空気室３２内の空気量が適宜調整されうる。リュックサックの人との接触面と背中面との密着性は維持できる。ゴムポンプ３０以外に浮き輪等に用いられている逆止弁が用いられてもよい。
【００２６】
図５（ａ）は本発明のさらに他の実施形態に係るリュックサック３６が示された正面図であり、図５（ｂ）はその側面図である。このリュックサック３６は、荷室３８とショルダーストラップ４０と３つの空気袋４２とを備えている。リュックサック３６のバック面４４には空気袋４２が挿入されうる３つの収納室４６が備えられている。それぞれの収納室４６に空気袋４２が１ずつ挿入される。空気袋４２は、１の空気室４８を備えている。このリュックサック３６も図１で示したリュックサック１０と同じように、背中面との密着性はよい。このリュックサック３６の接触面の形状は、動作に伴う背中面の形状変化に追従できる。このリュックサック３６であれば、収納室４６に備えられている空気袋４２が破損し空気室４８内の空気が漏れた場合、３の全ての空気袋４２が交換される必要はない。破損された空気袋４２のみが、交換される。空気袋４２の破損という応急時の対処が、容易である。
【００２７】
面ファスナー、スナップ又はバックルのような固定手段が備えられている空気袋は、リュックサックのバック面に固定できる。空気袋がリュックサックのバック面を覆うように配置されれば、本発明のリュックサックと同様の密着性が得られる。
【産業上の利用可能性】
【００２８】
本発明に係るリュックサックは、例えば、登山やスキーのように、人の動作に応じて背中面の形状が変化する場合に、適用できる。
【図面の簡単な説明】
【００２９】
【図１】図１（ａ）は本発明の一実施形態に係るリュックサックが示された正面図であり、図１（ｂ）はその側面図である。
【図２】図２は、図１のリュックサックが立った状態で背負われている状況が示された側面図である。
【図３】図３は、図１のリュックサックが立った状態から前屈みの状態に変化したときの背負われている状況が示された側面図である。
【図４】図４は、本発明の他の実施形態に係るリュックサックの空気袋が示された斜視図である。
【図５】図５（ａ）は本発明のさらに他の実施形態に係るリュックサックが示された正面図であり、図５（ｂ）はその側面図である。
【図６】図６は、フレームが備えられた従来のリュックサックが、立った状態で背負われている状況が示された側面図である。
【図７】図７は、図６のリュックサックが、立った状態から前屈みの状態に変化したときの背負われている状況が示された側面図である。
【符号の説明】
【００３０】
２・・・フレーム
４、１０、３６・・・リュックサック
６、２６・・・接触面
８、２４・・・背中面
１２、３８・・・荷室
１４、４０・・・ショルダーストラップ
１６、２８、４２・・・空気袋
１８、４４・・・バック面
２０、４６・・・収納室
２２、３２、４８・・・空気室
３０・・・ゴムポンプ
３４・・・チューブ
【図１】
2006109965.tif 000003
【図２】
2006109965.tif 000004
【図３】
2006109965.tif 000005
【図４】
2006109965.tif 000006
【図５】
2006109965.tif 000007
【図６】
2006109965.tif 000008
【図７】
2006109965.tif 000009